(57)【特許請求の範囲】
【請求項１】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の外部を撮影するカメラと、
前記カメラの撮影方向の方位を算出する撮影方向算出部と、
前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記表示対象施設種別に相当するジャンルに関係づけられているエアタグ情報を、前記カメラで撮影した撮影画像上の当該エアタグ情報が関係づけられた地点に対応する位置に配置した画像を表示する拡張現実画像表示部とを有することを特徴とする車載システム。
【請求項２】
指定位置と指定方位とを指定したエアタグ情報要求に応じて当該指定方位から当該指定方位方向を観察した場合に観察される領域内の地点に関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の外部を撮影するカメラと、
前記カメラの撮影方向の方位を算出する撮影方向算出部と、
前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記カメラで撮影した撮影画像上の当該エアタグ情報が関係づけられた地点に対応する位置に配置した画像を表示する拡張現実画像表示部とを有することを特徴とする車載システム。
【請求項３】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の外部を撮影するカメラと、
前記カメラの撮影方向の方位を算出する撮影方向算出部と、
前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報を、前記カメラで撮影した撮影画像上の当該エアタグ情報が関係づけられた地点に対応する位置に、前記表示対象施設種別に相当するジャンルに関係づけられているエアタグ情報については、他のエアタグ情報よりも強調した形態で配置した画像を表示する拡張現実画像表示部とを有することを特徴とする車載システム。
【請求項４】
指定位置と指定方位とを指定したエアタグ情報要求に応じて当該指定方位から当該指定方位方向を観察した場合に観察される領域内の地点に関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の外部を撮影するカメラと、
前記カメラの撮影方向の方位を算出する撮影方向算出部と、
前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報を、前記カメラで撮影した撮影画像上の当該エアタグ情報が関係づけられた地点に対応する位置に、前記ナビゲーション画面に前記施設マークが配置されている施設の施設情報に登録されている施設位置に相当する地点に関係づけられているエアタグ情報については、他のエアタグ情報よりも強調した形態で配置した画像を表示する拡張現実画像表示部とを有することを特徴とする車載システム。
【請求項５】
請求項１、２、３または４記載の車載システムであって、
前記エアタグ情報取得部が取得したエアタグ情報のうち、前記表示対象施設種別に相当するジャンルに関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部を有することを特徴とする車載システム。
【請求項６】
請求項１、２、３または４記載の車載システムであって、
前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部を有することを特徴とする車載システム。
【請求項７】
請求項１、２、３または４記載の車載システムであって、
前記エアタグ情報取得部が取得したエアタグ情報を、前記ナビゲーション画面上の、当該ナビゲーション画面に含まれる地図上において当該エアタグ情報が関係づけられた地点に対応する位置に、前記表示対象施設種別に相当するジャンルに関係づけられているエアタグ情報については、他のエアタグ情報よりも強調した形態で配置した画像を表示するナビゲーション画面表示部を有することを特徴とする車載システム。
【請求項８】
請求項１、２、３または４記載の車載システムであって、
前記エアタグ情報取得部が取得したエアタグ情報を、前記ナビゲーション画面上の、当該ナビゲーション画面に含まれる地図上において当該エアタグ情報が関係づけられた地点に対応する位置に、前記ナビゲーション画面に前記施設マークが配置されている施設の施設情報に登録されている施設位置に相当する地点に関係づけられているエアタグ情報については、他のエアタグ情報よりも強調した形態で配置した画像を表示するナビゲーション画面表示部を有することを特徴とする車載システム。
【請求項９】
請求項１、２、３または４記載の車載システムであって、
エアタグ情報表示部を有し、
前記ナビゲーション部は、前記ナビゲーション画面に配置する施設マークのうち、エアタグ情報取得部が取得したエアタグ情報が関係づけられている地点に相当する位置が施設位置として登録されている施設情報の施設をエアタグ情報付施設として、当該エアタグ情報付施設を表す施設マークを他の施設マークよりも強調した形態で配置して前記ナビゲーション画面を生成して表示し、
前記エアタグ情報表示部は、前記エアタグ情報付施設を表す施設マークに対するユーザ操作に応じて、当該エアタグ情報付施設の施設情報に登録されている施設位置に相当する地点に関係づけられているエアタグ情報を表示することを特徴とする車載システム。
【請求項１０】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記表示対象施設種別に相当するジャンルに関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部とを有することを特徴とする車載システム。
【請求項１１】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部とを有することを特徴とする車載システム。
【請求項１２】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報を、前記ナビゲーション画面上の、当該ナビゲーション画面に含まれる地図上において当該エアタグ情報が関係づけられた地点に対応する位置に、前記表示対象施設種別に相当するジャンルに関係づけられているエアタグ情報については、他のエアタグ情報よりも強調した形態で配置した画像を表示するナビゲーション画面表示部とを有することを特徴とする車載システム。
【請求項１３】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得した前記エアタグ情報を、前記ナビゲーション画面上の、当該ナビゲーション画面に含まれる地図上において当該エアタグ情報が関係づけられた地点に対応する位置に、前記ナビゲーション画面に前記施設マークが配置されている施設の施設情報に登録されている施設位置に相当する地点に関係づけられているエアタグ情報については、他のエアタグ情報よりも強調した形態で配置した画像を表示するナビゲーション画面表示部とを有することを特徴とする車載システム。
【請求項１４】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される車載システムであって、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
エアタグ情報表示部とを有し、
前記ナビゲーション部は、前記ナビゲーション画面に配置する施設マークのうち、エアタグ情報取得部が取得したエアタグ情報が関係づけられている地点に相当する位置が施設位置として登録されている施設情報の施設をエアタグ情報付施設として、当該エアタグ情報付施設を表す施設マークを他の施設マークよりも強調した形態で配置して前記ナビゲーション画面を生成して表示し、
前記エアタグ情報表示部は、前記エアタグ情報付施設を表す施設マークに対するユーザ操作に応じて、当該エアタグ情報付施設の施設情報に登録されている施設位置に相当する地点に関係づけられているエアタグ情報を表示することを特徴とする車載システム。
【請求項１５】
請求項１、２、３、４、５、６、７、８、９、１０、１１、１２、１３または１４記載の車載システムであって、
前記車載システムは、通信機能を備えた携帯装置を接続可能であり、
前記エアタグ情報取得部は、前記携帯装置を介して前記サーバにアクセスすることを特徴とする車載システム。
【請求項１６】
請求項１、２、３、４、５、６、７、８、９、１０、１１、１２、１３または１４記載の車載システムであって、
前記車載システムは、内蔵カメラと、拡張現実提供機能とを備えた携帯装置を接続可能であり、
前記拡張現実提供機能は、前記サーバに、前記指定位置として当該携帯装置の現在位置を指定し、前記指定方位として前記内蔵カメラの撮影方向の方位を指定した前記エアタグ情報要求を発行して、当該サーバから前記エアタグ情報を取得すると共に、取得したエアタグ情報を、前記内蔵カメラで撮影した撮影画像上の当該エアタグ情報が関係づけられた地点に対応する位置に配置した拡張現実画像を表示する機能であり、
前記エアタグ情報取得部は、前記エアタグ情報要求を、前記携帯装置の前記拡張現実提供機能を介して前記サーバに発行すると共に、当該発行した前記エアタグ情報要求に応じて前記サーバから前記携帯装置の前記拡張現実提供機能に提供されたエアタグ情報を取得することを特徴とする車載システム。
【請求項１７】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される、当該自動車の外部を撮影するカメラを備えたコンピュータによって読み取られ実行されるコンピュータプログラムであって、
前記コンピュータを、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記カメラの撮影方向の方位を算出する撮影方向算出部と、
前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記表示対象施設種別に相当するジャンルに関係づけられているエアタグ情報を、前記カメラで撮影した撮影画像上の当該エアタグ情報が関係づけられた地点に対応する位置に配置した画像を表示する拡張現実画像表示部として機能させることを特徴とするコンピュータプログラム。
【請求項１８】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載される、当該自動車の外部を撮影するカメラを備えたコンピュータによって読み取られ実行されるコンピュータプログラムであって、
前記コンピュータを、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記カメラの撮影方向の方位を算出する撮影方向算出部と、
前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記カメラで撮影した撮影画像上の当該エアタグ情報が関係づけられた地点に対応する位置に配置した画像を表示する拡張現実画像表示部として機能させることを特徴とするコンピュータプログラム。
【請求項１９】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載されるコンピュータによって読み取られ実行されるコンピュータプログラムであって、
前記コンピュータを、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記表示対象施設種別に相当するジャンルに関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部として機能させることを特徴とするコンピュータプログラム。
【請求項２０】
指定位置と指定方位とを指定したエアタグ情報要求に応じて当該指定方位から当該指定方位方向を観察した場合に観察される領域内の地点と当該地点のジャンルとに関係づけられたテキストであるエアタグ情報を提供するサーバにアクセスする、自動車に搭載されるコンピュータによって読み取られ実行されるコンピュータプログラムであって、
前記コンピュータを、
施設毎に対応して設けられた、対応する施設の種別を表す施設種別と対応する施設の位置を示す施設位置とが登録された施設情報と、地図を表す地図データとを記憶した記憶部と、
前記自動車の現在位置を算出する現在位置算出部と、
前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、
前記自動車の前方方向の方位を算出する前方方向算出部と、
前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、
前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部として機能させることを特徴とするコンピュータプログラム。
【発明の詳細な説明】
【技術分野】
【０００１】
本発明は、自動車内のユーザに周辺情報を提供する技術に関するものである。
【背景技術】
【０００２】
ユーザに周辺情報を提供する技術としては、通信を介してサーバから取得した周辺の地点の情報を、カメラで実空間の周辺の風景を撮影した映像上の当該地点に対応する位置に重畳表示する拡張現実の技術が知られている（たとえば、特許文献１）。
また、自動車内のユーザに周辺情報を提供する技術としては、自動車に搭載されたナビゲーション装置において、周辺の施設を表すマークのうちの、ユーザから指定されたジャンルの施設を表すマークのみを、地図上の当該施設の存在する地点に対応する位置に表示する技術が知られている（たとえば、特許文献２）。
【先行技術文献】
【特許文献】
【０００３】
【特許文献１】特開２０１０-２３８０９６号公報
【特許文献２】特開２００４-２９４２４７号公報
【発明の概要】
【発明が解決しようとする課題】
【０００４】
上述した拡張現実の技術によれば、サーバから情報が取得される周辺の地点の情報数が多い場合、表示される情報数が過多となって、各情報の視認性が劣化する。また、上述した拡張現実の技術によれば、ユーザにとって興味ある情報と興味ない情報とが混在して雑多に表示されるため、ユーザが興味ある情報を直ちに把握することが困難となる。
【０００５】
そこで、本発明は、拡張現実の技術によって、自動車内のユーザに周辺情報を、ユーザが興味ある情報を直ちに把握することができるように提供することを課題とする。
【課題を解決するための手段】
【０００６】
前記課題達成のために、本発明は、指定位置と指定方位とを指定したエアタグ情報要求に応じて当該指定方位から当該指定方位方向を観察した場合に観察される領域内の地点と当該地点のジャンルとに関係づけられたエアタグ情報を提供するサーバにアクセスする、自動車に搭載される車載システムに、施設毎に対応して設けられた、対応する施設の種別を表す施設種別と対応する施設の位置を示す施設位置とが登録された施設情報と、地図を表す地図データとを記憶した記憶部と、前記自動車の現在位置を算出する現在位置算出部と、前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、前記自動車の外部を撮影するカメラと、前記カメラの撮影方向の方位を算出する撮影方向算出部と、前記現在位置算出部が算出した前記自動車の現在位置を指定位置とし、前記撮影方向算出部が算出した前記カメラの撮影方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、前記エアタグ情報取得部が取得したエアタグ情報のうち、前記表示対象施設種別に相当するジャンルに関係づけられているエアタグ情報を、前記カメラで撮影した撮影画像上の当該エアタグ情報が関係づけられた地点に対応する位置に配置した画像を表示する拡張現実画像表示部とを備えたものである。
【０００７】
ここで、このような車載システムは、拡張現実画像表示部として、上述した拡張現実画像表示部に代えて、前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記カメラで撮影した撮影画像上の当該エアタグ情報が関係づけられた地点に対応する位置に配置した画像を表示する拡張現実画像表示部を備えるように構成してもよい。
【０００８】
これらのような車載システムによれば、ナビゲーション部において表示する施設マークを選定するための表示対象施設種別を利用して、当該表示対象施設種別に相当するジャンルのエアタグ情報や、当該表示対象施設種別の施設に関係するエアタグ情報のみを表示することができる。そして、表示対象施設種別は、ユーザが興味ある施設の施設種別を設定するため、このようにすることにより、ユーザが興味ある施設に関するエアタグ情報のみが表示されることとなり、結果、自動車内のユーザが興味ある施設に関するエアタグ情報を直ちに把握することができるようになる。
【０００９】
なお、以上のような車載システムは、拡張現実画像表示部として、上述した拡張現実画像表示部に代えて、前記エアタグ情報取得部が取得したエアタグ情報を、前記カメラで撮影した撮影画像上の当該エアタグ情報が関係づけられた地点に対応する位置に、前記表示対象施設種別に相当するジャンルに関係づけられているエアタグ情報については、他のエアタグ情報よりも強調した形態で配置した画像を表示する拡張現実画像表示部を備えるようにしても良い。
【００１０】
または、以上のような車載システムは、拡張現実画像表示部として、上述した拡張現実画像表示部に代えて、前記エアタグ情報取得部が取得したエアタグ情報を、前記カメラで撮影した撮影画像上の当該エアタグ情報が関係づけられた地点に対応する位置に、前記ナビゲーション画面に前記施設マークが配置されている施設の施設情報に登録されている施設位置に相当する地点に関係づけられているエアタグ情報については、他のエアタグ情報よりも強調した形態で配置した画像を表示する拡張現実画像表示部を備えるようにしてもよい。
【００１１】
これらのような車載システムによれば、ナビゲーション部において表示する施設マークを選定するための表示対象施設種別を利用して、当該表示対象施設種別に相当するジャンルのエアタグ情報や、当該表示対象施設種別の施設に関係するエアタグ情報を他のエアタグ情報よりも強調した形態で表示することができる。そして、表示対象施設種別は、ユーザが興味ある施設の施設種別を設定するため、このようにすることにより、ユーザが興味ある施設に関するエアタグ情報のみが強調して表示されることとなり、結果、自動車内のユーザが興味ある施設に関するエアタグ情報を直ちに把握することができるようになる。
【００１２】
また、以上の各車載システムには、さらに、前記エアタグ情報取得部が取得したエアタグ情報のうち、前記表示対象施設種別に相当するジャンルに関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部を設けるようにしてもよい。
【００１３】
または、以上の各車載システムには、さらに、前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部を備えるようにしてもよい。
【００１４】
または、以上の各車載システムには、さらに、前記エアタグ情報取得部が取得したエアタグ情報を、前記ナビゲーション画面上の、当該ナビゲーション画面に含まれる地図上において当該エアタグ情報が関係づけられた地点に対応する位置に、前記表示対象施設種別に相当するジャンルに関係づけられているエアタグ情報については、他のエアタグ情報よりも強調した形態で配置した画像を表示するナビゲーション画面表示部を備えるようにしてもよい。
【００１５】
または、以上の各車載システムには、さらに、前記エアタグ情報取得部が取得したエアタグ情報を、前記ナビゲーション画面上の、当該ナビゲーション画面に含まれる地図上において当該エアタグ情報が関係づけられた地点に対応する位置に、前記ナビゲーション画面に前記施設マークが配置されている施設の施設情報に登録されている施設位置に相当する地点に関係づけられているエアタグ情報については、他のエアタグ情報よりも強調した形態で配置した画像を表示するナビゲーション画面表示部を備えるようにしてもよい。
【００１６】
または、以上の各車載システムに、エアタグ情報表示部を設け、前記ナビゲーション部において、前記ナビゲーション画面に配置する施設マークのうち、エアタグ情報取得部が取得したエアタグ情報が関係づけられている地点に相当する位置が施設位置として登録されている施設情報の施設をエアタグ情報付施設として、当該エアタグ情報付施設を表す施設マークを他の施設マークよりも強調した形態で配置して前記ナビゲーション画面を生成して表示し、前記エアタグ情報表示部において、前記エアタグ情報付施設を表す施設マークに対するユーザ操作に応じて、当該エアタグ情報付施設の施設情報に登録されている施設位置に相当する地点に関係づけられているエアタグ情報を表示するようにしてもよい。
【００１７】
また、前記課題達成のために、本発明は、指定位置と指定方位とを指定したエアタグ情報要求に応じて当該指定方位から当該指定方位方向を観察した場合に観察される領域内の地点と当該地点のジャンルとに関係づけられたエアタグ情報を提供するサーバにアクセスする、自動車に搭載される車載システムに、施設毎に対応して設けられた、対応する施設の種別を表す施設種別と対応する施設の位置を示す施設位置とが登録された施設情報と、地図を表す地図データとを記憶した記憶部と、前記自動車の現在位置を算出する現在位置算出部と、前記地図データが表す地図上に、前記現在位置算出部が算出した現在位置を表す現在位置マークと、ユーザから表示対象施設種別として設定された施設種別が前記施設情報に登録されている施設を前記地図上で表す施設マークとを配置したナビゲーション画面を生成するナビゲーション部と、前記自動車の前方方向の方位を算出する前方方向算出部と、前記現在位置算出部が算出した前記自動車の現在位置を指定位置とし、前記前方方向算出部が算出した前記自動車の前方方向の方位を前記指定方位とする前記エアタグ情報要求を、前記サーバに発行すると共に、当該発行した前記エアタグ情報要求に応じて前記サーバから提供されたエアタグ情報を取得するエアタグ情報取得部と、前記エアタグ情報取得部が取得したエアタグ情報のうち、前記表示対象施設種別に相当するジャンルに関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部とを備えたものである。
【００１８】
ここで、このような車載システムは、ナビゲーション画面表示部として、上述したナビゲーション画面表示部に代えて、前記エアタグ情報取得部が取得したエアタグ情報のうち、前記ナビゲーション画面に前記施設マークが配置されている施設の施設情報に登録されている施設位置に相当する地点に関係づけられているエアタグ情報を、前記ナビゲーション画面上の、当該ナビゲーション画面に含まれる地図上において当該エアタグ情報が関係づけられた地点に対応する位置に配置した画像を表示するナビゲーション画面表示部を備えるようにしてもよい。
【００１９】
これらのような車載システムによれば、ナビゲーション部において表示する施設マークを選定するための表示対象施設種別を利用して、当該表示対象施設種別に相当するジャンルのエアタグ情報や、当該表示対象施設種別の施設に関係するエアタグ情報のみを表示することができる。そして、表示対象施設種別は、ユーザが興味ある施設の施設種別を設定するため、このようにすることにより、ユーザが興味ある施設に関するエアタグ情報のみが表示されることとなり、結果、自動車内のユーザが興味ある施設に関するエアタグ情報を直ちに把握することができるようになる。
【００２０】
または、以上の各車載システムは、ナビゲーション画面表示部として、上述したナビゲーション画面表示部に代えて、前記エアタグ情報取得部が取得したエアタグ情報を、前記ナビゲーション画面上の、当該ナビゲーション画面に含まれる地図上において当該エアタグ情報が関係づけられた地点に対応する位置に、前記表示対象施設種別に相当するジャンルに関係づけられているエアタグ情報については、他のエアタグ情報よりも強調した形態で配置した画像を表示するナビゲーション画面表示部を備えるようにしてもよい。
【００２１】
または、以上の各車載システムは、ナビゲーション画面表示部として、上述したナビゲーション画面表示部に代えて、前記エアタグ情報取得部が取得したエアタグ情報を、前記ナビゲーション画面上の、当該ナビゲーション画面に含まれる地図上において当該エアタグ情報が関係づけられた地点に対応する位置に、前記ナビゲーション画面に前記施設マークが配置されている施設の施設情報に登録されている施設位置に相当する地点に関係づけられているエアタグ情報については、他のエアタグ情報よりも強調した形態で配置した画像を表示するナビゲーション画面表示部を備えるようにしてもよい。
【００２２】
これらのような車載システムによれば、ナビゲーション部において表示する施設マークを選定するための表示対象施設種別を利用して、当該表示対象施設種別に相当するジャンルのエアタグ情報や、当該表示対象施設種別の施設に関係するエアタグ情報を他のエアタグ情報よりも強調した形態で表示することができる。そして、表示対象施設種別は、ユーザが興味ある施設の施設種別を設定するため、このようにすることにより、ユーザが興味ある施設に関するエアタグ情報のみが強調して表示されることとなり、結果、自動車内のユーザが興味ある施設に関するエアタグ情報を直ちに把握することができるようになる。
【００２３】
なお、以上のような車載システムに、エアタグ情報表示部を設け、前記ナビゲーション部において、前記ナビゲーション画面に配置する施設マークのうち、エアタグ情報取得部が取得したエアタグ情報が関係づけられている地点に相当する位置が施設位置として登録されている施設情報の施設をエアタグ情報付施設として、当該エアタグ情報付施設を表す施設マークを他の施設マークよりも強調した形態で配置して前記ナビゲーション画面を生成して表示し、前記エアタグ情報表示部において、前記エアタグ情報付施設を表す施設マークに対するユーザ操作に応じて、当該エアタグ情報付施設の施設情報に登録されている施設位置に相当する地点に関係づけられているエアタグ情報を表示するようにしてもよい。
【００２４】
このようにすることにより、ナビゲーション部において表示するナビゲーション画面において関係するエアタグ情報が存在する施設の施設マークを強調表示されるので、ユーザは、当該施設に関係するエアタグ情報が存在することを直ちに把握することができると共に、当該施設マークを操作するだけの容易な操作によって当該エアタグ情報を確認することができるようになる。
【００２５】
なお、以上の前記車載システムは、通信機能を備えた携帯装置を接続可能に構成し、前記エアタグ情報取得部において、前記携帯装置を介して前記サーバにアクセスするようにしてもよい。
または、以上の前記車載システムは、前記車載システムを、内蔵カメラと、拡張現実提供機能とを備えた携帯装置を接続可能に構成し、前記エアタグ情報取得部において、前記エアタグ情報要求を、前記携帯装置の前記拡張現実提供機能を介して前記サーバに発行すると共に、当該発行した前記エアタグ情報要求に応じて前記サーバから前記携帯装置の前記拡張現実提供機能に提供されたエアタグ情報を取得するようにしてもよい。ただし、前記拡張現実提供機能は、前記サーバに、前記指定位置として当該携帯装置の現在位置を指定し、前記指定方位として前記内蔵カメラの撮影方向の方位を指定した前記エアタグ情報要求を発行して、当該サーバから前記エアタグ情報を取得すると共に、取得したエアタグ情報を、前記内蔵カメラで撮影した撮影画像上の当該エアタグ情報が関係づけられた地点に対応する位置に配置した拡張現実画像を表示する機能である。
【発明の効果】
【００２６】
以上のように、本発明によれば、拡張現実の技術によって、ユーザが興味ある情報を直ちに把握することができるように、自動車内のユーザに周辺情報を提供することができる。
【図面の簡単な説明】
【００２７】
【図１】本発明の実施形態に係る拡張現実システムの構成を示すブロック図である。
【図２】本発明の実施形態に係る車載装置とスマートフォンの構成を示すブロック図である。
【図３】本発明の実施形態に係るエアタグ情報とスマートフォンの拡張現実機能を示す図である。
【図４】本発明の実施形態に係る地図データを示す図である。
【図５】本発明の実施形態に係るナビゲーション画面を示す図である。
【図６】本発明の実施形態に係るエアタグ情報取得処理とエアタグ情報表示処理を示すフローチャートである。
【図７】本発明の実施形態に係るエアタグ情報表示処理の処理例を示す図である。
【図８】本発明の実施形態に係るエアタグ情報表示処理の処理例を示す図である。
【図９】本発明の実施形態に係るエアタグ情報表示処理の処理例を示す図である。
【図１０】本発明の実施形態に係るエアタグ情報表示処理の処理例を示す図である。
【発明を実施するための形態】
【００２８】
以下、本発明の実施形態について説明する。
図１に本実施形態に係る拡張現実システムの構成を示す。
図示するように、拡張現実システムは、自動車に搭載される車載装置１、車載装置１と接続可能な携帯装置であるスマートフォン２、スマートフォン２が移動体通信網３を介してアクセス可能なＡＲ（AR：拡張現実/Augmented Reality）サーバ４とを含んで構成される。
【００２９】
次に、図２に車載装置１のスマートフォン２の構成を示す。
図示するように、スマートフォン２は、図示するように、ＧＰＳ受信機２０１、電子コンパス２０２、記憶部２０３、移動体通信網３にアクセスするための移動通信装置２０４、操作部２０５、ディスプレイ２０６、マイクやスピーカなどを備えた音声入出力部２０７、カメラ２０８、車載装置１と接続するためのホストインタフェース２０９、スマートフォン２のＯＳであるところのＳＰ-オペレーティングシステム２１０、ＳＰ-オペレーティングシステム２１０によって管理されＳＰ-オペレーティングシステム２１０上で稼働する複数のアプリケーションを備えている。
【００３０】
ここで、スマートフォン２は、このＳＰ-オペレーティングシステム２１０上で稼働するアプリケーションとして、移動通信装置２０４や音声入出力部２０７や操作部２０５を用いた移動電話機能を提供する移動電話アプリケーション２１１と、ＡＲアプリケーション２１２と、その他のアプリケーション２１３とを備えている。
【００３１】
一方、車載装置１は、ＧＰＳ受信機１０１、ジャイロセンサ１０２、車速センサ１０３、地図データ等を記憶した記憶装置１０４、入力装置１０５、表示装置１０６、図１に示すように車両前方を撮影するフロントカメラ１０７、スマートフォン２と接続するためのデバイスインタフェース１０８、車載装置１のＯＳであるところのＨ-オペレーティングシステム１０９、Ｈ-オペレーティングシステム１０９によって管理されＨ-オペレーティングシステム１０９上で稼働する複数のアプリケーションを備えている。
【００３２】
ここで、車載装置１は、Ｈ-オペレーティングシステム１０９上で稼働するアプリケーションとして、ナビゲーションアプリケーション１１０と、ＡＲクライアントアプリケーション１１１と、その他のアプリケーション１１２とを備えている。
以下、このような拡張現実システムにおける拡張現実の提供動作について説明する。
まず、スマートフォン２が車載装置１に接続されずに単体で使用されているときの、拡張現実の提供動作について説明する。
スマートフォン２のＡＲアプリケーション２１２は、ＧＰＳ受信機２０１からスマートフォン２の現在位置を、電子コンパス２０２からスマートフォン２のカメラ２０８が向いている方位（撮影方向の方位）を取得し、取得して現在位置を指定位置、取得した方位を指定方位とし、移動体通信装置を介してＡＲサーバ４に、指定位置と指定方位との情報を指定情報として伴うエアタグ情報要求を発行する。
【００３３】
一方、ＡＲサーバ４には、図３ａに示すエアタグ情報が蓄積されている。
エアタグ情報は、当該エアタグ情報が関係づけられている座標と、ジャンルと、提供情報とを含む。ジャンルは当該エアタグ情報が関係づけられている座標にある施設のジャンル等を表す。また、提供情報は、当該エアタグ情報が関係づけられている座標にある施設に関する情報である。そして、提供情報は、タイトルと、詳細情報とを含むことができ、詳細情報としては、テキスト、音声、画像、動画などを用いることができる。ただし、以下では、詳細情報がテキストである場合を例にとり説明を行う。なお、ここで、詳細情報がテキストである場合、タイトルとしては詳細情報のテキストの先頭の所定文字数分の文字列を用いるようにしてもよい。
【００３４】
そして、ＡＲサーバ４は、スマートフォン２からエアタグ情報要求を受け取ると、エアタグ情報要求に伴う指定情報の指定位置から所定の視野角で指定方位方向を見たときに、視野内に含まれる領域に含まれることとなる座標であって、指定位置から所定距離内の座標が登録されているエアタグ情報を抽出し、エアタグ情報要求の応答としてスマートフォン２に送信する。
【００３５】
そして、エアタグ情報を受け取ったスマートフォン２は、エアタグ情報を記憶部２０３に記憶する。そして、図３ｂに示すように、カメラ２０８で撮影した映像をディスプレイ２０６に表示するとともに、カメラ２０８で撮影した映像に写り込むエリア内の座標が登録されているエアタグ情報を記憶部２０３から読み出し、読み出した各エアタグ情報に対応する吹出３０１を表示したカメラ２０８の映像上に表示し、各吹出３０１の中に、当該吹出３０１に対応するエアタグ情報に登録されているタイトルを表示する。こで、各吹出３０１は、当該吹出３０１に対応するエアタグ情報に登録されている座標が写り込むこととなる、表示したカメラ２０８の映像中の位置から吹き出すように設ける。
【００３６】
そして、操作部２０５を用いて、いずれかの吹出３０１がユーザによって選択されたならば、図３ｃに示すように、選択された吹出３０１に対応するエアタグ情報の詳細情報３１１を表示する。なお、図３ｃは、図３ｂの「DD店」のタイトルの吹出３０１がユーザによって選択され、「DD店」のタイトルのエアタグ情報の詳細情報３１１が表示されているようすを表している。
【００３７】
以上、スマートフォン２が車載装置１に接続されずに単体で使用されているときの、拡張現実の提供動作について説明した。
次に、スマートフォン２が車載装置１に接続されて使用されているときの、拡張現実の提供動作について説明する。
まず、車載装置１の記憶装置１０４に記憶されている地図データについて説明する。
図４に示すように、地図データは、地図データの製作日時などを記述した管理データ、地図を表す基本地図データ、施設データ、ランドマーク用図形テーブルを含んで構成される。
そして、基本地図データは、道路網を表す道路ユニットと、表示地図を規定する描画ユニットとを有する。
次に、道路ユニットは道路網を表すデータであり、ノードリストと、リンクテーブルとを有する。
ここで、道路ユニットでは、道路を直線であるリンクの集合として表現しており、この各リンクの端点がノードである。そして、ノードリストは、各ノードの座標等を表すデータである。また、リンクテーブルは、各リンクの両端のノードの識別や、各リンクの距離や方位や、各リンクに与えた経路探索用のコストであるリンクコスト等を示すデータである。
【００３８】
次に、描画ユニットは、地形図形や道路図形や建物図形などの地図の地理的な表示要素となる各図形や、建物名称や道路名称や交差点名称などの地図上に表示する各文字列を規定するデータである。
また、地図データの施設データは、地図データ制作者が地図データにプリセットした各施設についての情報を示すものであり、施設毎に設けられた施設レコードを有する。そして、各施設レコードには、施設名称、施設のガソリンスタンド／ストア／レストラン／ホテルといった種類を表す施設種別と、その施設の住所と、その施設の電話番号と、その施設の座標とが登録されている。
【００３９】
また、地図データのランドマーク用図形テーブルには、図４に示すように、施設種別毎のエントリが設けられ、各エントリには、対応する施設別と、対応する施設種別の施設を地図上で表すランドマークとして用いる図形を定義する図形データとが登録されている。
次に、車載装置１のナビゲーションアプリケーション１１０の動作について説明する。
車載装置１のナビゲーションアプリケーション１１０は、記憶装置１０４に記録されている地図データを用いて、ＧＰＳ受信機１０１やジャイロセンサ１０２や車速センサ１０３を利用した、自車の現在位置や自車の現在の前方方向の算出を行う。また、ナビゲーションアプリケーション１１０は、ユーザからの目的地の設定の受け付けや、記憶装置１０４に記録されている地図データを用いた、設定された目的地までの上述したリンクコストを用いた最小コスト法等によるルートの探索を行う。
【００４０】
また、ナビゲーションアプリケーション１１０は、ユーザからランドマークの表示を行う施設種別の設定を受け付け、受け付けた施設種別を表示対象施設種別に設定する。ここで、ユーザからの施設種別の設定の受け付けは、施設種別の大分類、たとえば、「買う」、「食べる」といった施設種別の用途毎の分類の指定によって受け付けるようにしてもよく、この場合、指定された大分類に含まれる施設種別が表示対象施設種別に設定される。
【００４１】
そして、ナビゲーションアプリケーション１１０は、現在位置周辺の地図上に現在位置や現在の前方方向を表すマークや、目的地までのルートや、設定されている表示対象施設種別に一致する施設種別が登録されている施設レコードの施設を表すランドマークを表したナビゲーション画面を出力する。
【００４２】
ここで、各施設のランドマークとしては、ランドマーク用図形テーブルの、その施設の施設レコードに登録されている施設種別のエントリに登録されている図形データが定義する図形を用いる。また、各施設のランドマークは、地図上の、その施設の施設レコードに登録されている座標に対応する位置に表示する。
【００４３】
ここで、図５ａ１、ａ２は、このようにしてナビゲーションアプリケーション１１０から出力されるナビゲーション画面５００を表しており、図中の５０１が現在位置と現在の前方方向を表すマークを示している。そして、図５ａ１は、表示対象施設種別として全施設種別が設定されている場合のナビゲーション画面５００を、図５ａ２は、表示対象施設種別として施設種別「郵便局」と施設種別「金融機関」のみが設定されている場合のナビゲーション画面５００を表している。
【００４４】
次に、車載装置１のＡＲクライアントアプリケーション１１１は、スマートフォン２が車載装置１に接続されて使用されているときに、拡張現実の提供のためにエアタグ情報取得処理と、エアタグ表示処理とを行う。
まず、エアタグ情報取得処理について説明する。
図６ａに、このエアタグ情報取得処理の手順を示す。
図示するように、この処理では、ＡＲクライアントアプリケーション１１１は、ナビゲーションアプリケーション１１０から、ナビゲーションアプリケーション１１０が上述のように算出している自車の現在位置と自車の現在の前方方向の方位とを取得する（ステップ６０２）。
【００４５】
そして、取得した現在位置を指定位置、取得した現在の前方方向の方位を指定方位とする指定情報と共にエアタグ情報の取得要求を、スマートフォン２のＡＲアプリケーション２１２に発行する（ステップ６０４）。
一方、スマートフォン２のＡＲアプリケーション２１２は、エアタグ情報の取得要求を車載装置１のＡＲクライアントアプリケーション１１１から受け取ったならば、エアタグ情報の取得要求と共に受け取った指定情報として伴うエアタグ情報要求をＡＲサーバ４に送信し、上述のようにＡＲサーバ４からエアタグ情報を取得し、取得したエアタグ情報を、エアタグ情報の取得要求の応答として車載装置１のＡＲクライアントアプリケーション１１１に送信する。
【００４６】
そして、車載装置１のＡＲクライアントアプリケーション１１１は、このようにしてエアタグ情報をスマートフォン２のＡＲアプリケーション２１２から取得したならば（ステップ６０６）、取得したエアタグ情報を記憶装置１０４に保存し（ステップ６０８）、ステップ６０２からの処理に戻る。
【００４７】
以上、車載装置１のＡＲクライアントアプリケーション１１１が行うエアタグ情報取得処理について説明した。
次に、車載装置１のＡＲクライアントアプリケーション１１１が行うエアタグ表示処理について説明する。
図６ｂに、このエアタグ表示処理の手順を示す。
図示するように、この処理において、車載装置１のＡＲクライアントアプリケーション１１１は、現在の動作モードとして、カメラモードとナビゲーションモードのいずれが設定されているかを調べる（ステップ６５２）。
ここで、ユーザは、ＡＲクライアントアプリケーション１１１の動作モードを、カメラモードとナビゲーションモードとのうちのいずれかに任意に設定、切り替えることができる。
そして、カメラモードが設定されている場合には、図７ａ１、ｂ１に示すように、フロントカメラ１０７が撮影した画像であるカメラ画像７００を表示装置１０６にメイン画像として表示し（ステップ６５４）、カメラモードが設定されていない場合、すなわち、ナビゲーションモードが設定されている場合には、図８ａ１、ｂ１に示すように、ナビゲーションアプリケーション１１０が出力する上述したナビゲーション画面５００を表示装置１０６にメイン画像として表示する（ステップ６５６）。
【００４８】
そして、記憶装置１０４に記憶されているエアタグ情報のうちから、現在設定されている表示対象施設種別に対応するジャンルが登録されているエアタグ情報を抽出する（ステップ６５８）。ここで、表示対象施設種別に対応するジャンルとは、表示対象施設種別となっている施設種別が表す施設の種別と同様の種別を表すものとして設定されているジャンルである。したがって、施設種別とジャンルとして、同じ分類を用いる場合には、表示対象施設種別となっている施設種別と同じジャンルが、表示対象施設種別に対応するジャンルとなる。一方、施設種別とジャンルとして、同じ分類を用いない場合は、施設種別と、当該施設種別に対応するジャンルとの関係は予め設定しておくようにする。
【００４９】
また、上述のように、表示対象施設種別をユーザから上述のように施設種別の大分類の指定により受け付けている場合には、表示対象施設種別に対応するジャンルは、指定された大分類に対応するジャンルとし、大分類に対応するジャンルは、当該または大分類と同様の分類を表すジャンル、または、当該大分類に含まれるジャンルとするようにしてもよい。この場合にも、大分類と当該大分類に対応するジャンルとの関係は予め設定しておくようにする。
【００５０】
次に、記憶装置１０４に記憶されているエアタグ情報のうちの、ステップ６５８で抽出されなかったエアタグ情報のうちから、現在設定されている表示対象施設種別と同じ施設種別が登録されている施設レコードに登録されている座標と同じ座標が登録されているエアタグ情報を抽出する（ステップ６６０）。ただし、ステップ６６０では、現在、ナビゲーション画面５００にランドマークが配置されている施設の座標が登録されているエアタグ情報を抽出するようにしてもよい。
【００５１】
ただし、ステップ６５８、６６０で抽出するエアタグ情報は、動作モードがカメラモードである場合には、現在のフロントカメラ１０７の撮影範囲内の座標が登録されているエアタグ情報に限定し、動作モードがナビゲーションモードである場合には、ナビゲーション画面５００に含まれる地図の範囲内の座標が登録されているエアタグ情報に限定する。
【００５２】
そして、図７ａ１、ｂ１、図８ａ１、ｂ１に示すように、抽出した各エアタグ情報に対応する吹出３０１を、表示したメイン画像上に表示し、各吹出３０１の中に、当該吹出３０１に対応するエアタグ情報に登録されているタイトルを表示する（ステップ６６２）。なお、図７ａ１は、動作モードとしてカメラモードが設定されており、表示対象施設種別として全施設種別が設定されている場合の表示を、図７ｂ１は、動作モードとしてカメラモードが設定されており、表示対象施設種別として施設種別「郵便局」と施設種別「金融機関」のみが設定されている場合の表示を示している。また、図８ａ１は、動作モードとしてナビゲーションモードが設定されており、表示対象施設種別として全施設種別が設定されている場合の表示を、図８ｂ１は、動作モードとしてナビゲーションモードが設定されており、表示対象施設種別として施設種別「郵便局」と施設種別「金融機関」のみが設定されている場合の表示を示している。
【００５３】
ここで、動作モードがカメラモードである場合には、図７ａ１、ｂ１に示すように、各吹出３０１は、当該吹出３０１に対応するエアタグ情報に登録されている座標が写り込む、メイン画像として表示したカメラ画像７００中の位置から吹き出すように設ける。一方、動作モードがナビゲーションモードである場合には、図８ａ１、ｂ１に示すように、各吹出３０１は、当該吹出３０１に対応するエアタグ情報に登録されている座標に対応する、ビゲーション画面に含まれる地図上の位置から吹き出すように設ける。
【００５４】
そして、動作モードの切り替えが発生しているかどうかを調べ（ステップ６６４）、切替が発生している場合にはステップ６５２からの処理に戻り、発生していない場合にはステップ６５８からの処理に戻る。
以上、車載装置１のＡＲクライアントアプリケーション１１１が行うエアタグ表示処理について説明した。
ここで、車載装置１のＡＲクライアントアプリケーション１１１は、このようなエアタグ表示処理によって表示した、いずれかの吹出３０１が、入力装置１０５を介して、ユーザによって選択されたならば、図７ａ２、ｂ２、図８ａ２、ｂ２に示すように、選択された吹出３０１に対応するエアタグ情報の詳細情報３１１を表示する処理も行う。なお、図７ａ２、ｂ２は、図７ａ１、ｂ１の「aaaa」のタイトルの吹出３０１がユーザによって選択され、「aaaa」のタイトルのエアタグ情報の詳細情報３１１が表示されているようすを、図８ａ２、ｂ２は、図８ａ１、ｂ１の「gggg」のタイトルの吹出３０１がユーザによって選択され、「gggg」のタイトルのエアタグ情報の詳細情報３１１が表示されているようすを表している。
【００５５】
以上、本発明の実施形態について説明した。
以上のように、本実施形態によれば、ナビゲーションアプリケーション１１０において表示するランドマークを選定するためにユーザより設定された表示対象施設種別を利用して、当該表示対象施設種別に相当するジャンルのエアタグ情報や、当該表示対象施設種別の施設に関係するエアタグ情報のみを表示することができる。そして、表示対象施設種別は、ユーザが興味ある施設の施設種別を設定するため、このようにすることにより、ユーザは、興味ある施設に関するエアタグ情報を直ちに把握することができるようになる。
【００５６】
ところで、以上の車載装置１のＡＲクライアントアプリケーション１１１が行うエアタグ表示処理では、現在設定されている表示対象施設種別に対応するジャンルが登録されているエアタグ情報と、現在設定されている表示対象施設種別と同じ施設種別の施設の施設レコードに登録されている座標と同じ座標が登録されているエアタグ情報のみをメイン画像上に表示するようにしたが、エアタグ情報のメイン画像上への表示は以下のように行うようにしてもよい。
【００５７】
すなわち、現在、設定されている表示対象施設種別に対応するジャンルが登録されているエアタグ情報と、現在設定されている表示対象施設種別と同じ施設種別が登録されている施設レコードに登録されている座標と同じ座標が登録されているエアタグ情報とを、主エアタグ情報に設定する。
【００５８】
そして、たとえば、表示対象施設種別として施設種別「郵便局」と施設種別「金融機関」のみが設定されている場合の例を示した図９ａ１、ｂ１に示すように、全てのエアタグ情報を吹出３０１によって表示すると共に、主エアタグ情報の吹出３０１（Ｐ）を、他のエアタグ情報の吹出３０１よりも強調して表示するようにする。図示した例では、主エアタグ情報の吹出３０１（Ｐ）よりも、他のエアタグ情報の吹出３０１を低い輝度で表示することにより、主エアタグ情報の吹出３０１を強調している。
【００５９】
または、表示対象施設種別として施設種別「郵便局」と施設種別「金融機関」のみが設定されている場合の例を示した図９ａ２、ｂ２に示すように、主エアタグ情報については初めから詳細情報３１１を表示し、他のエアタグ情報については、タイトルを配置した吹出３０１を表示するようにしてもよい。
【００６０】
このようにすることにより、表示対象施設種別に相当するジャンルのエアタグ情報や、当該表示対象施設種別の施設に関係するエアタグ情報のみを強調表示することができる。したがって、このようにしても、ユーザは、興味ある施設に関するエアタグ情報を直ちに把握することができるようになる。
【００６１】
または、エアタグ情報の表示は、動作モードとしてナビゲーションモードが設定されている場合には、次のように行うようにしてもよい。
すなわち、表示対象施設種別として施設種別「郵便局」と施設種別「金融機関」のみが設定されている場合の例を示した図１０ａ１に示すように、上述した主エアタグ情報に登録されている座標と同じ座標が施設レコードに登録されている施設を表すランドマークを他のランドマークより強調した形態で表示し、強調した形態で表示したランドマークのユーザの選択操作に応じて、図１０ａ２に示すように、選択操作されたランドマークが表す施設の施設レコードに登録されている座標と同じ座標が登録されている主エアタグ情報の詳細情報３１１を表示するようにしてもよい。なお、図１０ａ１においては、白枠で囲んでランドマークを表示することにより、主エアタグ情報に登録されている座標と同じ座標が施設レコードに登録されている施設を表すランドマークを強調して表している。
【００６２】
このようにすることにより、ナビゲーション画面において関係するエアタグ情報が存在する施設の施設マークを強調表示されるので、ユーザは、当該施設に関係するエアタグ情報が存在することを直ちに把握することができると共に、当該施設マークを操作するだけの容易な操作によって当該エアタグ情報を確認することができるようになる。
【００６３】
なお、以上の実施形態では、ＡＲクライアントアプリケーション１１１において、自動車の前方方向を指定方位としてＡＲサーバ４からエアタグ情報を取得するようにしたが、フロントカメラ１０７の撮影方向と自動車の前方方向が異なる場合には、フロントカメラ１０７の撮影方向を指定方位としてＡＲサーバ４からエアタグ情報を取得するようにしてもよい。
【００６４】
また、以上の実施形態は、動作モードとしてカメラモードとナビゲーションモードの双方を設ける場合について説明したが、動作モードとしては、カメラモードとナビゲーションモードの一方のみを行うようにしてもよい。
また、この場合において、動作モードとしてカメラモードのみを設ける場合には、フロントカメラ１０７の撮影方向を指定方位としてＡＲサーバ４からエアタグ情報を取得するようにする。また、動作モードとしてナビゲーションモードのみを設ける場合には、自動車の前方方向を指定方位としてＡＲサーバ４からエアタグ情報を取得するようにする。また、動作モードとしてナビゲーションモードのみを設ける場合には、ＡＲクライアントアプリケーション１１１の機能は、ナビゲーションアプリケーション１１０の機能として設けるようにしてもよい。
【００６５】
また、スマートフォン２にＡＲアプリケーション２１２を設けずに、ＡＲクライアントアプリケーション１１１が、スマートフォン２の通信機能のみを利用して、直接ＡＲサーバ４にアクセスしてエアタグ情報を取得するようにしてもよい。
また、以上の実施形態は、スマートフォン２に代えて、移動電話機やＰＤＡやポータブルゲーム機やポータブルプレイヤなどのＡＲアプリケーション２１２を備えた任意の携帯装置を用いる場合に同様に適用することができる。
【符号の説明】
【００６６】
１…車載装置、２…スマートフォン、３…移動体通信網、４…ＡＲサーバ、１０１…ＧＰＳ受信機、１０２…ジャイロセンサ、１０３…車速センサ、１０４…記憶装置、１０５…入力装置、１０６…表示装置、１０７…フロントカメラ、１０８…デバイスインタフェース、１０９…Ｈ-オペレーティングシステム、１１０…ナビゲーションアプリケーション、１１１…ＡＲクライアントアプリケーション、２０１…ＧＰＳ受信機、２０２…電子コンパス、２０３…記憶部、２０４…移動通信装置、２０５…操作部、２０６…ディスプレイ、２０７…音声入出力部、２０８…カメラ、２０９…ホストインタフェース、２１０…ＳＰ-オペレーティングシステム、２１１…移動電話アプリケーション、２１２…ＡＲアプリケーション、３０１…吹出、５００…ナビゲーション画面、７００…カメラ画像。
【図１】
0005780417.tif 000002
【図２】
0005780417.tif 000003
【図３】
0005780417.tif 000004
【図４】
0005780417.tif 000005
【図５】
0005780417.tif 000006
【図６】
0005780417.tif 000007
【図７】
0005780417.tif 000008
【図８】
0005780417.tif 000009
【図９】
0005780417.tif 000010
【図１０】
0005780417.tif 000011